(57)【要約】【課題】容易に組み立てを行うことのできるようにすること。【解決手段】ヒンジピン６０を中心として回動することにより蓋部４２が開口部２６を開閉する開閉蓋４０において、ヒンジピン６０は、軸端間の距離が変化する方向に弾性変形をする弾性構造として設けられるヒンジピン接続部５６と剛性側壁部５４とを介して蓋部４２に接続する。これにより、開閉蓋４０を所望の位置に組み付ける際には、ヒンジピン６０の軸端間の距離を小さくすることにより、組み付ける部分に対して、外部から組み付けることができる。この結果、容易に組み立てを行うことができる。【選択図】図３
2012122262.tif 000002
【特許請求の範囲】
【請求項１】
回動軸を中心として回動することにより蓋部が開口部を開閉する開閉蓋において、
剛性を有して前記蓋部に接続される剛性部材と、
前記剛性部材に弾力性を有して接続される回動軸接続部と、
を備える弾性構造が設けられており、
前記回動軸は、前記弾性構造を介して前記蓋部に接続されることにより、軸端間の距離が変化する方向に弾性変形可能に設けられていることを特徴とする開閉蓋。
【請求項２】
前記弾性構造は、前記剛性部材と前記回動軸接続部との境界に形成される切込みによって前記剛性部材に対する前記回動軸接続部の接続部が直線状になることにより、前記回動軸接続部が前記剛性部材に対して弾力性を有して接続されることを特徴とする請求項１に記載の開閉蓋。
【請求項３】
前記回動軸は、前記蓋部に対して互いに反対方向になる２方向に設けられており、
前記剛性部材は、前記回動軸が設けられる２方向に形成される側壁部によって形成されていることを特徴とする請求項１または２に記載の開閉蓋。
【請求項４】
前記蓋部の周囲には、前記蓋部が前記開口部を閉じた際に前記開口部の周囲を覆う外周壁部が設けられていることを特徴とする請求項１〜３のいずれか１項に記載の開閉蓋。
【請求項５】
前記回動軸は、前記蓋部が前記開口部に対する開閉範囲内のいずれかの角度の場合における前記開口部に直交する方向の断面形状が、前記蓋部に近付くに従って軸端間の距離が大きくなる方向に先端が軸方向に対して斜めに形成されていることを特徴とする請求項１〜４のいずれか１項に記載の開閉蓋。
【請求項６】
便器の後部上面に設置される便器上面設備において、
請求項１〜５のいずれか１項に記載の前記開閉蓋が有する前記回動軸を支持する支持部を有することにより、メンテナンスを行う際に開く前記開口部を前記開閉蓋によって開閉可能に設けられており、
前記支持部は、前記回転軸の前記軸端間の距離を前記弾性変形によって小さくして前記回動軸を軸方向に直交する方向に外面側から挿入し、挿入後の前記軸端間の距離が前記弾性変形によって挿入時よりも大きくなることにより、前記回動軸を回動可能に支持することを特徴とする便器上面設備。
【発明の詳細な説明】
【技術分野】
【０００１】
本発明は、開閉蓋及び便器上面設備に関する。
【背景技術】
【０００２】
近年の洋風便器では、便器内の脱臭を行うため、便器の上面に設置する便器上面設備に、空気の流路を設けると共に、この流路に空気の脱臭を行うことができる成分を有する脱臭カートリッジを配置し、便器内の脱臭を行っているものがある。例えば、特許文献１に記載の便器上面設備では、便器上面設備に、便鉢内の空気を吸引する脱臭ファンを設け、この脱臭ファンを作動させることによって流れる空気の流路中に脱臭カートリッジを配置することにより、便鉢内の空気の脱臭を行っている。また、特許文献１では、ヒンジピンを有することにより、便器上面設備の本体に対して開閉可能な蓋に脱臭カートリッジを配置し、脱臭カートリッジの交換時には、この蓋を開くことによって交換可能にしている。
【先行技術文献】
【特許文献】
【０００３】
【特許文献１】特開２００４−３２４１６８号公報
【発明の概要】
【発明が解決しようとする課題】
【０００４】
しかし、このようにヒンジピンを有することにより開閉可能な開閉蓋を便器上面設備に設ける場合、軸受等のヒンジピンを回転可能に支持する部材で支持する必要があるため、開閉蓋を設ける装置の内側から、開閉蓋を組み立てる必要がある。このため、開閉蓋に関する部分の組み立て時における工程の順序が所定の順序に制約されたり、組み立て難かったりする場合があり、開閉蓋の構造に改善の余地があった。
【０００５】
本発明は、上記に鑑みてなされたものであって、容易に組み立てを行うことのできる開閉蓋及び便器上面設備を提供することを目的とする。
【課題を解決するための手段】
【０００６】
上述した課題を解決し、目的を達成するために、この発明に係る開閉蓋は、回動軸を中心として回動することにより蓋部が開口部を開閉する開閉蓋において、剛性を有して前記蓋部に接続される剛性部材と、前記剛性部材に弾力性を有して接続される回動軸接続部と、を備える弾性構造が設けられており、前記回動軸は、前記弾性構造を介して前記蓋部に接続されることにより、軸端間の距離が変化する方向に弾性変形可能に設けられていることを特徴とする。
【０００７】
この発明では、回動軸を、弾性構造を介して蓋部に接続することにより、回動軸の軸端間の距離を、弾性構造の弾性変形によって変化させることができるため、回動軸の軸端間の距離を小さくすることにより、開閉蓋を組み付ける部分に対して、外部から組み付けることができる。また、回転軸と蓋部との接続強度を確保できる。この結果、容易に組み立てを行うことができる。
【０００８】
また、上記開閉蓋において、前記弾性構造は、前記剛性部材と前記回動軸接続部との境界に形成される切込みによって前記剛性部材に対する前記回動軸接続部の接続部が直線状になることにより、前記回動軸接続部が前記剛性部材に対して弾力性を有して接続されることが好ましい。
【０００９】
この発明では、剛性部材に対する回動軸接続部の接続部が直線状になっているため、より容易に、回動軸接続部に弾力性を持たせることができる。この結果、より容易に、容易な組立性を実現することができる。
【００１０】
また、上記開閉蓋において、前記回動軸は、前記蓋部に対して互いに反対方向になる２方向に設けられており、前記剛性部材は、前記回動軸が設けられる２方向に形成される側壁部によって形成されていることが好ましい。
【００１１】
この発明では、剛性部材は、回動軸が設けられる２方向に形成される側壁部によって形成されているため、剛性部材の強度を、より確実に確保することができ、回動軸と蓋部との接続強度を確保することができる。この結果、容易な組み立てを可能にしつつ、より確実に開閉動作を行わせることができる。
【００１２】
また、上記開閉蓋において、前記蓋部の周囲には、前記蓋部が前記開口部を閉じた際に前記開口部の周囲を覆う外周壁部が設けられていることが好ましい。
【００１３】
この発明では、蓋部の周囲に外周壁部が設けられているため、開口部を閉じた場合に、開口部と外部とを、より広い面積で遮断することができる。この結果、開口部を閉じた際における密閉性を高くすることができる。
【００１４】
また、上記開閉蓋において、前記回動軸は、前記蓋部が前記開口部に対する開閉範囲内のいずれかの角度の場合における前記開口部に直交する方向の断面形状が、前記蓋部に近付くに従って軸端間の距離が大きくなる方向に先端が軸方向に対して斜めに形成されていることが好ましい。
【００１５】
この発明では、回動軸の先端が斜めに形成されているため、開閉蓋を組み付ける部分に対して外部から組み付ける場合に、回動軸の軸端間の距離が小さくなる方向の力を回動軸に付与することができ、より容易に、回動軸の軸端間の距離を小さくすることができる。この結果、より確実に、容易に組み立てを行うことができる。
【００１６】
また、上述した課題を解決し、目的を達成するために、この発明に係る便器上面設備は、便器の後部上面に設置される便器上面設備において、上記開閉蓋が有する前記回動軸を支持する支持部を有することにより、メンテナンスを行う際に開く前記開口部を前記開閉蓋によって開閉可能に設けられており、前記支持部は、前記回転軸の前記軸端間の距離を前記弾性変形によって小さくして前記回動軸を軸方向に直交する方向に外面側から挿入し、挿入後の前記軸端間の距離が前記弾性変形によって挿入時よりも大きくなることにより、前記回動軸を回動可能に支持することを特徴とする。
【００１７】
この発明では、上述した開閉蓋が有する回動軸を支持する支持部を有しており、回動軸の軸端間の距離を変化させることにより、回動軸を外面側から挿入可能にしている。この結果、開閉蓋を組み付ける部分に対して、外部から組み付けることができ、容易に組み立てを行うことができる。
【発明の効果】
【００１８】
本発明に係る開閉蓋及び便器上面設備は、容易に組み立てを行うことができる、という効果を奏する。
【図面の簡単な説明】
【００１９】
【図１】図１は、実施形態に係るタンクカバーユニットが設置された洋風便器の側面図である。
【図２】図２は、図１に示すタンクカバーユニットを下方から見た斜視図である。
【図３】図３は、図２に示す開閉蓋の斜視図である。
【図４】図４は、図３のＡ−Ａ矢視図である。
【図５】図５は、図４のＢ−Ｂ矢視図である。
【図６】図６は、図５のＤ−Ｄ断面図である。
【図７】図７は、図４のＣ−Ｃ矢視図である。
【図８】図８は、フロントベースプレートに開閉蓋を組み付ける場合の説明図である。
【図９】図９は、図８のＥ−Ｅ断面図である。
【図１０】図１０は、開閉蓋の組み付け時にヒンジピンの軸端間距離が変化した状態を示す説明図である。
【図１１】図１１は、開閉蓋が組み付けられた状態を示す説明図である。
【図１２】図１２は、開閉蓋の開閉状態を示す説明図である。
【図１３】図１３は、脱臭カートリッジを交換する場合の説明図である。
【発明を実施するための形態】
【００２０】
以下に、本発明に係る開閉蓋及び便器上面設備の実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００２１】
〔実施形態〕
図１は、実施形態に係るタンクカバーユニットが設置された洋風便器の側面図である。図２は、図１に示すタンクカバーユニットを下方から見た斜視図である。なお、以下の説明では、通常の使用態様でタンクカバーユニット１０を洋風便器に設置した場合における上下方向を、本実施形態に係るタンクカバーユニット１０及び開閉蓋４０の上下方向として説明する。さらに、このようにタンクカバーユニット１０を設置した洋風便器の便座に、通常の使用態様で着座した場合における使用者の前側を、タンクカバーユニット１０及び開閉蓋４０の前側とし、使用者の後ろ側をタンクカバーユニット１０及び開閉蓋４０の後ろ側として説明する。
【００２２】
図１に示すタンクカバーユニット１０は、実施形態に係る便器上面設備として設けられており、タンクカバーユニット１０は、洋風便器１が有する便鉢３の後方の上面に設置されている。タンクカバーユニット１０の前部には、便座６と便蓋８とが、共に起倒方向に回動可能に設けられている。
【００２３】
また、タンクカバーユニット１０は、便鉢３に供給する洗浄水を貯留するロータンク１２が内設する本体カバー１４を有しており、底面部には、フロントベースプレート２２とリアベースプレート２４とが設けられている。このうち、フロントベースプレート２２は底面部における前半側に配設され、リアベースプレート２４は底面部における後半側に配設されている。フロントベースプレート２２には、人体臀部を温水で洗浄するための温水洗浄ノズル３４や、便座６及び便蓋８を開閉させる電動開閉ユニット（図示省略）、人体臀部に向けて温風を吹き出して、その乾燥を行う温風ファン（図示省略）等が設けられている。
【００２４】
また、フロントベースプレート２２は、本体カバー１４と一体となってリアベースプレート２４に対して昇降可能に設けられており、本体ユニット１６となっている。また、フロントベースプレート２２には、便鉢３内から臭気を含んだ空気を吸引して脱臭するために設けられた脱臭カートリッジ３０及び脱臭ファン３２が設置されている。このうち、脱臭カートリッジ３０は、フロントベースプレート２２の底面に設置される開閉蓋４０を開閉することで交換が可能になっている。
【００２５】
図３は、図２に示す開閉蓋の斜視図である。この開閉蓋４０は、略矩形状の板状に形成された蓋部４２の４つの辺のうち、対向する２つの辺に、蓋部４２における同一面側に形成される壁部である側壁部５０が設けられている。また、側壁部５０が設けられる辺に接続される２つの辺のうち、一方の辺には、蓋部４２において側壁部５０が形成される側の面に形成される壁部である後方壁部６４が設けられている。これらの側壁部５０と後方壁部６４とは、共に所定の厚さを有する板状の形状で形成されている。また、蓋部４２が有する４つの辺のうち、後方壁部６４が設けられる辺の反対側に位置する辺には、当該開閉蓋４０によって開閉するフロントベースプレート２２の開口部２６（図９等参照）に対して、開閉蓋４０を閉じた状態で維持する部材である閉状態維持部４６が設けられている。
【００２６】
図４は、図３のＡ−Ａ矢視図である。開閉蓋４０が有する各部材のうち、２つの側壁部５０は、蓋部４２に接続されている側の端部の反対側の端部が、円弧状に形成されている。具体的には、２つの側壁部５０における蓋部４２に接続されている側の反対側の端部である外端部は、共に蓋部４２との接続部分における後方壁部６４側の端部付近を中心とする円弧状の形状で形成されている。このため、側壁部５０の外端部は、閉状態維持部４６側から後方壁部６４側に向うに従って、円弧状の形状で蓋部４２との距離が徐々に大きくなっている。即ち、側壁部５０は、扇形状の形状で形成されている。
【００２７】
また、このように形成される側壁部５０は、蓋部４２との接続部分における後方壁部６４側の端部付近に、当該側壁部５０を板厚方向に貫通して切り込まれた切込み部５２が形成されている。この切込み部５２は、円弧側の部分が蓋部４２側に位置し、蓋部４２の方向に凸となるＵ字状の形状となっている。切込み部５２は、Ｕ字状の円弧の最も突出している部分が、蓋部４２における側壁部５０が位置している側の面の近傍に位置しており、この位置から、蓋部４２の板厚方向において蓋部４２から離れる方向に向かって形成されている。
【００２８】
このように、切込み部５２が形成される側壁部５０は、切込み部５２で囲まれた内側部分、即ち、Ｕ字状の内側部分は、ヒンジピン６０が接続されるヒンジピン接続部５６として設けられている。また、側壁部５０における切込み部５２の外側部分、即ち、Ｕ字状の外側部分は、剛性を有して蓋部４２に接続される剛性部材である剛性側壁部５４として設けられている。換言すると、切込み部５２は、剛性側壁部５４とヒンジピン接続部５６との境界に形成されている。
【００２９】
また、これらの剛性側壁部５４とヒンジピン接続部５６との接続部は、弾性接続部５８として設けられている。つまり、弾性接続部５８は、切込み部５２の開放側の両端部を、直線状に接続する部分となっている。このため、ヒンジピン接続部５６は、剛性側壁部５４に対しては弾性接続部５８のみで接続されている状態になっており、これにより、ヒンジピン接続部５６は、弾性接続部５８を支点として、先端部分が、ヒンジピン接続部５６の厚さ方向に撓むことが可能になっている。即ち、ヒンジピン接続部５６は、弾性接続部５８側の反対側の端部付近の位置が、ヒンジピン接続部５６の厚さ方向に変位可能に弾力性を有して形成されている。このように、ヒンジピン接続部５６は、剛性側壁部５４を介して蓋部４２に接続されており、この蓋部４２側の部材である剛性側壁部５４に、弾力性を有して接続されている。
【００３０】
図５は、図４のＢ−Ｂ矢視図である。側壁部５０には、このように切込み部５２が形成されることにより剛性側壁部５４とヒンジピン接続部５６とを有しており、ヒンジピン接続部５６にはヒンジピン６０が接続されている。開閉蓋４０は、フロントベースプレート２２の開口部２６（図９等参照）を開閉可能になっており、具体的には、蓋部４２が開口部２６を開閉するが、ヒンジピン６０は、蓋部４２が開口部２６を開閉する際に回動中心となる回動軸として設けられている。このため、ヒンジピン接続部５６は、この回動軸であるヒンジピン６０が接続される回動軸接続部として設けられている。
【００３１】
ヒンジピン６０は、２つの側壁部５０が有するそれぞれのヒンジピン接続部５６に接続されており、ヒンジピン接続部５６と剛性側壁部５４との境界に形成される切込み部５２の円弧の部分の内側部分に接続されている。ヒンジピン６０は、略円柱状の形状で形成されており、この円柱の外周部分が、ヒンジピン接続部５６における円弧状に形成された外周部分に沿うように、ヒンジピン接続部５６に接続されている。このため、ヒンジピン６０は、ヒンジピン接続部５６における蓋部４２寄りの位置に接続されており、即ち、ヒンジピン６０は、蓋部４２の近傍に設けられている。
【００３２】
このように、蓋部４２の近傍に設けられるヒンジピン６０は、側壁部５０の外側部分に、同一直線上で、且つ、蓋部４２から見て互いに反対方向に向かって設けられている。
【００３３】
ここで、ヒンジピン６０が接続されるヒンジピン接続部５６は、当該ヒンジピン接続部５６の厚さ方向に弾力性を有しており、このヒンジピン接続部５６の厚さ方向は、同一直線上に形成される２つのヒンジピン６０の軸方向になっている。このため、弾力性を有するヒンジピン接続部５６は、２つのヒンジピン６０の軸端間の距離が変化する方向に弾性変形することが可能になっている。即ち、ヒンジピン接続部５６と剛性側壁部５４とは、ヒンジピン６０の軸端間の距離が変化する方向に弾性変形をする弾性構造を構成しており、ヒンジピン６０は、この弾性構造を介して蓋部４２に接続されている。
【００３４】
このヒンジピン接続部５６と剛性側壁部５４とは、同じ材料で連続する一つの部材として設けられており、剛性側壁部５４は、蓋部４２と後方壁部６４とに接続されることにより剛性を有しているのに対し、ヒンジピン接続部５６は、弾性接続部５８のみで剛性側壁部５４に接続されることにより、弾力性を有している。
【００３５】
また、ヒンジピン６０は、蓋部４２に対して側壁部５０や後方壁部６４が突出している方向、或いは、蓋部４２の厚さ方向の断面形状が、蓋部４２に近付くに従って軸端間の距離が大きくなる方向に、先端が軸方向に対して斜めに形成されている。つまり、ヒンジピン６０には、先端部分が軸方向に対して斜めに形成された傾斜部６２が形成されている。換言すると、ヒンジピン６０の傾斜部６２は、蓋部４２に対して互いに反対方向に向かって蓋部４２の近傍に設けられる２つのヒンジピン６０の軸端間の距離が、蓋部４２の厚さ方向において蓋部４２から離れるに従って小さくなるように設けられている。
【００３６】
また、矩形状に形成される蓋部４２は、三方が後方壁部６４と２つの側壁部５０とに囲まれており、このように後方壁部６４と側壁部５０、及び蓋部４２によって区画される部分は、脱臭カートリッジ３０を保持するカートリッジ保持部７０となっている。カートリッジ保持部７０は、蓋部４２と側壁部５０と後方壁部６４とのそれぞれの内側の面によって形成されている。
【００３７】
また、後方壁部６４は、当該後方壁部６４を連通する穴である連通口６６が形成されている。この連通口６６は、２つの矩形状の穴が、後方壁部６４の形成範囲の大部分に対して開口することにより設けられている。
【００３８】
図６は、図５のＤ−Ｄ断面図である。また、蓋部４２に接続される側壁部５０には、脱臭カートリッジ３０を保持する部材である保持部材７２が設けられている。この保持部材７２は、側壁部５０におけるカートリッジ保持部７０を構成する側の面、即ち、２つの側壁部５０における互いに他方の側壁部５０に対向する側の面に設けられており、所定の幅及び高さで側壁部５０から突出して、蓋部４２の板厚方向に延在している。
【００３９】
蓋部４２に設けられている閉状態維持部４６は、当該閉状態維持部４６と後方壁部６４との間の方向の弾力性を有することにより、開閉蓋４０を閉じた状態で維持することが可能になっている。
【００４０】
閉状態維持部４６は、２つの側壁部５０間方向の幅が所定の幅となり、側壁部５０の板厚方向に見た場合における形状が、開放側の一端が蓋部４２に接続され、後方壁部６４が蓋部４２から突出して形成される方向に円弧側が突出する形状となるＵ字状の形状に形成されている。閉状態維持部４６は、このように形成されることにより、Ｕ字状の開放側の端部間が変化する方向の弾性力を有している。さらに、この閉状態維持部４６は、Ｕ字状の開放側の２つの端部のうち、蓋部４２に接続されていない側の端部に、突起部と凹部とにより形成される係合部４８が設けられている。閉状態維持部４６は、この係合部４８が開口部２６の所定の部位と係合することにより、開閉蓋４０を閉じた状態で維持することができる。
【００４１】
図７は、図４のＣ−Ｃ矢視図である。また、蓋部４２には、外周壁部であるフランジ部４４が周囲に設けられている。このフランジ部４４は、蓋部４２のカートリッジ保持部７０の面と平行な面を有して形成されており、蓋部４２に接続される側壁部５０同士の間方向において、側壁部５０よりも外側に位置して蓋部４２に接続されている。このように、フランジ部４４が接続される蓋部４２は、開口部２６の開口面積及び形状に近似した形状で形成されることにより、蓋部４２が開口部２６を閉じた際に、開口部２６の周囲を覆うことが可能になっている。
【００４２】
次に、このように設けられる開閉蓋４０の組み付け方法について説明する。図８は、フロントベースプレートに開閉蓋を組み付ける場合の説明図である。図９は、図８のＥ−Ｅ断面図である。開閉蓋４０は、フロントベースプレート２２に形成される開口部２６を開閉できるように開口部２６に組み付ける。開口部２６は、フロントベースプレート２２の下面に下方に向いて開口しているため、開閉蓋４０は、フロントベースプレート２２の下方側から組み付ける。その向きは、開閉蓋４０の蓋部４２が、開口部２６が形成されている面と略平行になり、側壁部５０や後方壁部６４が開閉蓋４０に対して突出する向きで、開口部２６に対して組み付ける。このため、開閉蓋４０が有するヒンジピン６０は、傾斜部６２の向きが、開口部２６から離れるに従って、ヒンジピン６０の軸端間の距離が大きくなる向きになる。
【００４３】
さらに、フロントベースプレート２２が有する開口部２６は、ヒンジピン６０を回動可能に支持する支持部であるヒンジピン支持部２８を有しており、このヒンジピン支持部２８は、開閉蓋４０が有する２つのヒンジピン６０と同程度の間隔で、離間して形成されている。開閉蓋４０を、開口部２６に対して組み付ける場合には、開口部２６の開口面に対して直交する方向において、２箇所のヒンジピン支持部２８に２つのヒンジピン６０が重なる位置及び向きで、開閉蓋４０を開口部２６に組み付ける。
【００４４】
図１０は、開閉蓋の組み付け時にヒンジピンの軸端間距離が変化した状態を示す説明図である。ヒンジピン６０がヒンジピン支持部２８に対して重なった状態で開閉蓋４０を開口部２６に近付けた場合、ヒンジピン６０は、軸端付近がヒンジピン支持部２８に当接する。つまり、ヒンジピン支持部２８は、ヒンジピン６０を支持することができるように設けられているため、２箇所のヒンジピン支持部２８間が、フロントベースプレート２２の下方、即ち、フロントベースプレート２２の外側に対して開口している部分は、ヒンジピン６０の軸端間よりも小さくなっている。このため、開閉蓋４０を開口部２６に近付けた場合には、ヒンジピン６０は、軸端付近が、開口部２６におけるヒンジピン支持部２８付近に当接する。
【００４５】
ここで、ヒンジピン６０は、弾力性を有して剛性側壁部５４に接続されるヒンジピン接続部５６に接続されている。このため、ヒンジピン６０がヒンジピン支持部２８付近に当接した状態で、開閉蓋４０を開口部２６に近付けた場合、ヒンジピン接続部５６は弾性変形をする。詳しくは、ヒンジピン支持部２８は、弾性接続部５８を支点として先端部分が、ヒンジピン接続部５６の厚さ方向に撓むことが可能になっており、また、ヒンジピン６０が当接している部分は、ヒンジピン６０の軸端間よりも小さくなっている。このため、この状態で開閉蓋４０を開口部２６に近付けた場合には、ヒンジピン接続部５６には、ヒンジピン６０に軸端間の距離が小さくなる方向の力が作用し、ヒンジピン接続部５６は、この力によって弾性変形をする。
【００４６】
つまり、ヒンジピン接続部５６は、対向するヒンジピン接続部５６同士が近付く方向、即ち、開閉蓋４０の内側方向に、それぞれ弾性接続部５８を支点として撓む。これにより、ヒンジピン接続部５６に接続されているヒンジピン６０も、開閉蓋４０の内側方向に位置が移動するため、ヒンジピン６０の軸端間の距離は小さくなる。ヒンジピン６０は、このように軸端間の距離を弾性変形によって小さくして、ヒンジピン６０を軸方向に直交する方向に外面側から、ヒンジピン支持部２８に対して挿入する。
【００４７】
さらに、ヒンジピン６０の軸端の傾斜部６２は、蓋部４２に近付くに従って軸端間の距離が大きくなる方向に、軸方向に対して斜めに形成されている。このため、ヒンジピン６０がヒンジピン支持部２８付近に当接する場合には、この傾斜部６２が当接し易くなっている。また、傾斜部６２は、このように蓋部４２に近付くに従って軸端間の距離が大きくなるように形成されているため、傾斜部６２がヒンジピン支持部２８付近に当接した状態で開閉蓋４０に対して、蓋部４２が開口部２６に近付く方向の力を付与した場合、ヒンジピン６０には、ヒンジピン６０を開閉蓋４０の内側方向に向う方向に力が作用する。これにより、ヒンジピン接続部５６は、開閉蓋４０の内側方向に弾性変形し易くなるため、ヒンジピン６０の軸端間の距離も小さくなり易くなる。
【００４８】
図１１は、開閉蓋が組み付けられた状態を示す説明図である。このように、ヒンジピン６０の軸端間の距離が小さくなった状態で、蓋部４２が開口部２６に近付く方向に開閉蓋４０をさらに移動させた場合、ヒンジピン６０は、２箇所のヒンジピン支持部２８間が、フロントベースプレート２２の外側に対して開口している部分を越える。この場合、ヒンジピン６０には、当該ヒンジピン６０を開閉蓋４０の内側方向に移動させる力が除去され、ヒンジピン接続部５６を開閉蓋４０の内側方向に撓ませる力が除去されるため、ヒンジピン接続部５６は、弾性力によって元の状態に戻る。
【００４９】
つまり、ヒンジピン接続部５６は、弾性接続部５８を支点として、対向するヒンジピン接続部５６同士が近付く方向に撓んでいた状態から、弾性力によって双方が離れ、ヒンジピン６０やヒンジピン接続部５６に力が入力される前の元の状態に戻る。このため、ヒンジピン６０の軸端間の距離も、フロントベースプレート２２に開閉蓋４０を組み付ける前の元の状態に戻り、ヒンジピン６０はヒンジピン接続部５６から抜け出ることがなくなる。これにより、ヒンジピン接続部５６で、ヒンジピン６０を支持することができる状態になる。このように、ヒンジピン支持部２８は、ヒンジピン６０を軸方向に直交する方向に外面側から挿入し、挿入後の軸端間の距離が弾性変形によって挿入時よりも大きくなることにより、ヒンジピン６０を回動可能に支持する。
【００５０】
図１２は、開閉蓋の開閉状態を示す説明図である。開閉蓋４０は、フロントベースプレート２２に組み付けられた状態では、ヒンジピン６０が回動可能にヒンジピン支持部２８で支持されている。このヒンジピン６０は、側壁部５０に接続されており、ヒンジピン６０が回動した場合には、開閉蓋４０全体が回動する。開閉蓋４０は、ヒンジピン６０の軸心を中心として回動可能にヒンジピン支持部２８で支持されている。このため、開閉蓋４０は、ヒンジピン６０を中心として回動させ、蓋部４２を開口部２６に近付かせることにより、蓋部４２で開口部２６を閉じることができ、反対に、蓋部４２を開口部２６から離すことにより、開口部２６を開くことができる。
【００５１】
また、このようにヒンジピン６０を中心として開閉蓋４０を回動させ、蓋部４２で開口部２６を閉じた場合には、開閉蓋４０が有する閉状態維持部４６が、開口部２６に形成される係合部分（図示省略）と係合する。閉状態維持部４６は弾力性を有していると共に、突起部と凹部とにより形成される係合部４８が設けられているため、蓋部４２で開口部２６を閉じた場合には、閉状態維持部４６の係合部４８が、開口部２６側の係合部分に係合する。これにより、開閉蓋４０は、閉じた状態が維持される。
【００５２】
また、このように閉じた状態の開閉蓋４０を開く場合には、弾力性を有する閉状態維持部４６を弾性変形させて、閉状態維持部４６の係合部４８と、開口部２６側の係合部分との係合を外す。これにより、開閉蓋４０は、ヒンジピン６０を中心として回動させ、開口部２６を開くことが可能になる。
【００５３】
また、開閉蓋４０は、カートリッジ保持部７０を有しており、脱臭カートリッジ３０を保持することが可能になっている。開閉蓋４０のカートリッジ保持部７０で保持する脱臭カートリッジ３０は、脱臭ファン３２を作動させた際に流動する空気の流路上に位置しているため、脱臭ファン３２を作動させた場合には、便鉢３内から吸引した空気が、脱臭カートリッジ３０を流れる。この場合、脱臭カートリッジ３０に対しては、閉状態維持部４６が位置している側から流入し、後方壁部６４の方向に流出する。脱臭カートリッジ３０から流出した空気は、後方壁部６４に形成される連通口６６を通って、空気の流路の下流側に流れる。
【００５４】
また、このように設けられる脱臭カートリッジ３０を交換する場合には、開閉蓋４０を開いた状態で交換する。開閉蓋４０を開いた場合には、開閉蓋４０は、脱臭カートリッジ３０を保持した状態で開くため、開閉蓋４０を開き、開いた状態の開閉蓋４０で保持している脱臭カートリッジ３０を交換する。このように、フロントベースプレート２２に設けられる開口部２６は、メンテナンスを行う際に開く開口部２６になっている。
【００５５】
図１３は、脱臭カートリッジを交換する場合の説明図である。ここで、開閉蓋４０は、フロントベースプレート２２の底面に設けられており、フロントベースプレート２２を有するタンクカバーユニット１０は、洋風便器１上に設置されている。このため、通常時には、開閉蓋４０は洋風便器１上に近接しており、開閉蓋４０を開くことは不可能になっているため、脱臭カートリッジ３０を交換する場合には、本体ユニット１６を上昇させる。つまり、脱臭カートリッジ３０を交換する場合には、リアベースプレート２４に対して昇降可能なフロントベースプレート２２を上昇させる。これにより、本体ユニット１６と洋風便器１との間に隙間ができるため、この状態で開閉蓋４０を開き、脱臭カートリッジ３０を交換する。
【００５６】
開閉蓋４０は、蓋部４２に接続されているヒンジピン６０の軸端間の距離を、弾性構造として設けられる剛性側壁部５４とヒンジピン接続部５６との弾性変形によって変化させることが可能になっている。このため、開閉蓋４０を所望の位置に組み付ける際には、ヒンジピン６０の軸端間の距離を小さくすることにより、組み付ける部分に対して、外部から組み付けることができる。この結果、容易に組み立てを行うことができる。
【００５７】
ヒンジピン６０が接続されるヒンジピン接続部５６は、蓋部４２側の部材である剛性側壁部５４に弾力性を有して接続されるため、ヒンジピン６０の軸端間の距離を、弾性変形によってより確実に変化させることができる。この結果、より確実に、容易に組み立てを行うことができる。
【００５８】
ヒンジピン接続部５６は、剛性部材として設けられる剛性側壁部５４に対して、弾力性を有して接続されている。このため、ヒンジピン接続部５６が有する弾力性によってヒンジピン６０の軸端間の距離の変化を可能にしつつ、剛性側壁部５４によって、ヒンジピン６０と蓋部４２との接続強度を確保することができる。これにより、開閉蓋４０を開閉する際に、ヒンジピン接続部５６に弾力性を持たせた場合でも不必要に弾性変形することなく、適切な開閉を行うことができる。この結果、容易な組み立てを可能にしつつ、より確実に開閉動作を行わせることができる。
【００５９】
剛性側壁部５４に対するヒンジピン接続部５６の接続部である弾性接続部５８が直線状になっているため、より容易に、ヒンジピン接続部５６に弾力性を持たせることができる。つまり、弾性接続部５８が直線状になっているため、この弾性接続部５８で剛性側壁部５４に接続されるヒンジピン接続部５６に、弾性接続部５８に直交する方向、即ち、ヒンジピン接続部５６の厚さ方向の弾力性を、容易に持たせることができる。この結果、より容易に、容易な組立性を実現することができる。
【００６０】
また、剛性側壁部５４は、ヒンジピン６０が設けられる２方向に形成される側壁部５０によって形成されているため、剛性側壁部５４の強度を、より確実に確保することができ、ヒンジピン６０と蓋部４２との接続強度を確保することができる。また、このように側壁部５０を設けることにより、脱臭カートリッジ３０を、開閉蓋４０で、より確実に保持することができる。この結果、より確実に開閉動作を行わせることができると共に、脱臭カートリッジ３０の保持性能を確保できる。
【００６１】
また、蓋部４２の周囲にフランジ部４４が設けられているため、開口部２６を閉じた場合には、開口部２６の周囲の部分をフランジ部４４で覆うことができ、開口部２６と、開口部２６の外部の部分とを、より広い面積で遮断することができる。この結果、開閉蓋４０で開口部２６を閉じた際における密閉性を高くすることができ、脱臭性能を確保したり、埃が入り難くしたりすることができる。
【００６２】
また、このように蓋部４２の周囲にフランジ部４４が設けられているため、例えば、フランジ部４４にパッキンを設け、開閉蓋４０を閉じた場合にはパッキンで開口部２６の周囲を囲むことにより、開口部２６への水の浸入を抑制することができる。この結果、脱臭カートリッジ３０が水で濡れたり、脱臭を行う際の空気の流路中に水が浸入し、この水によってカビが発生したりすることを抑制できる。
【００６３】
また、ヒンジピン６０の先端には傾斜部６２が形成されているため、開閉蓋４０を開口部２６に対して外部から組み付ける場合に、ヒンジピン支持部２８付近が傾斜部６２に当接した状態で、組み付け方向の力を開閉蓋４０に付与することにより、ヒンジピン６０の軸端間の距離が小さくなる方向の力を、ヒンジピン６０に対して付与することができる。これにより、より容易に、ヒンジピン６０の軸端間の距離を小さくすることができる。この結果、より確実に、容易に組み立てを行うことができる。
【００６４】
また、剛性側壁部５４に対するヒンジピン接続部５６の接続部である弾性接続部５８を、ヒンジピン６０よりも蓋部４２から離れた部分に位置させているため、開閉蓋４０を開口部２６に組み付ける際に、より確実に、ヒンジピン６０の軸端間の距離を小さくすることができる。つまり、ヒンジピン６０の上方側に弾性接続部５８を設けることにより、開閉蓋４０の組み付け時に、ヒンジピン６０の先端付近がヒンジピン支持部２８付近に当接した場合、この当接によってヒンジピン接続部５６が撓む際に、ヒンジピン接続部５６はカートリッジ保持部７０の内側方向に撓み易くなる。これにより、開閉蓋４０を組み付ける場合の力によって、ヒンジピン６０の軸端間の距離を、小さくし易くすることができる。この結果、より確実に、容易に組み立てを行うことができる。
【００６５】
また、以上のタンクカバーユニット１０は、フロントベースプレート２２に、開閉蓋４０が有するヒンジピン６０を支持するヒンジピン支持部２８を設けており、開閉蓋４０を組み付ける場合には、ヒンジピン６０の軸端間の距離を変化させて組み付けている。これにより、開閉蓋４０のヒンジピン６０を、ヒンジピン支持部２８に対してフロントベースプレート２２の外面側から挿入可能にしており、開閉蓋４０を組み付ける際の工程に制約を受けることなく、組み付けることができる。この結果、開閉蓋４０を組み付ける部分に対して、外部から組み付けることができ、容易に組み立てを行うことができる。
【００６６】
また、開閉蓋４０の最大開度を、本体ユニット１６を降下させた時、開閉蓋４０が洋風便器１に当接して、自然に閉じる角度とすることにより、本体ユニット１６を上昇させて開けた開閉蓋４０を閉じ忘れた場合でも、自然に閉じさせることができる。この結果、開閉蓋４０の破損を抑制できる。
【００６７】
なお、上述した開閉蓋４０は、ヒンジピン６０の傾斜部６２は、蓋部４２の厚さ方向の断面形状が、蓋部４２に近付くに従って軸端間の距離が大きくなる方向に、先端が軸方向に対して斜めに形成されているが、傾斜部６２は、これ以外の方向に斜めに形成されていてもよい。つまり、開閉蓋４０では、開閉蓋４０を閉じた状態の向きで開口部２６に組み付けるため、蓋部４２の厚さ方向の断面形状を基準として傾斜部６２を形成しているが、傾斜部６２は、開閉蓋４０を組み付ける際の状態を基準として形成すれば、傾斜部６２は、上述した開閉蓋４０の傾斜部６２以外の形態でもよい。ヒンジピン６０は、蓋部４２が開口部２６に対する開閉範囲内のいずれかの角度の場合における開口部２６に直交する方向の断面形状が、蓋部４２に近付くに従って軸端間の距離が大きくなる方向に先端が軸方向に対して斜めに形成されていればよい。ヒンジピン６０は、開閉蓋４０を開口部２６に組み付ける場合の向きに応じて、先端に傾斜部６２を形成することにより、組み付け時の力によって軸端間の距離が小さくなる方向の力をヒンジピン６０に付与することができるので、容易に開閉蓋４０を組み付けることができる。
【００６８】
また、上述した開閉蓋４０では、切込み部５２は、蓋部４２の方向に凸となるＵ字状の形状で形成されているが、切込み部５２は、これ以外の形状で形成されていてもよい。切込み部５２は、例えば、Ｕ字の開放側の端部が蓋部４２側に位置し、弾性接続部５８がヒンジピン６０よりも蓋部４２側に位置していてもよい。切込み部５２の向きに関わらず、ヒンジピン６０が接続されるヒンジピン接続部５６を、弾性接続部５８で剛性側壁部５４に接続することにより、ヒンジピン接続部５６に弾力性を持たせることができ、ヒンジピン６０の軸端間の距離を変化させることができる。
【００６９】
また、ヒンジピン６０は、軸端間の距離が変化する方向に弾性変形をさせる弾性構造は、ヒンジピン接続部５６と剛性側壁部５４とによって構成されているが、弾性構造は、これ以外により設けられていてもよい。ヒンジピン６０は、弾性構造の形態に関わらず、軸端間の距離が変化する方向に弾性変形が可能な状態で設けられていればよい。
【００７０】
また、上述したタンクカバーユニット１０では、開閉蓋４０はフロントベースプレート２２の底面に設けられているが、開閉蓋４０は、フロントベースプレート２２の底面以外の部分に設けられていてもよい。開閉蓋４０は、設ける位置に関わらず、ヒンジピン６０の軸端間の距離が変化するように形成することにより、外部から組み付けることができ、容易に組み立てを行うことができる。
【００７１】
また、上述した開閉蓋４０は、脱臭カートリッジ３０の保持を兼ね、脱臭カートリッジ３０の交換時に開閉する蓋として設けられているが、開閉蓋４０は、脱臭カートリッジ３０の交換以外の用途に用いられてもよい。例えば、温風ファン等で使用されるエアフィルターの交換に用いられる開閉蓋でもよく、または、洗剤等の薬剤の投入口を開閉する開閉蓋として用いられてもよい。開閉蓋は、メンテナンスを行う際に開く開口部を開閉する蓋として用いることにより、容易に開閉蓋を組み付けることができる。
【産業上の利用可能性】
【００７２】
以上のように、本発明に係る開閉蓋及び便器上面設備は、回動軸を中心として開閉する蓋に有用であり、特に、組み立て性を重視する場合に適している。
【符号の説明】
【００７３】
１  洋風便器
３  便鉢
１０  タンクカバーユニット
１４  本体カバー
１６  本体ユニット
２２  フロントベースプレート
２４  リアベースプレート
２６  開口部
２８  ヒンジピン支持部
３０  脱臭カートリッジ
４０  開閉蓋
４２  蓋部
４４  フランジ部
５０  側壁部
５２  切込み部
５４  剛性側壁部
５６  ヒンジピン接続部
５８  弾性接続部
６０  ヒンジピン
６２  傾斜部
６４  後方壁部
７０  カートリッジ保持部
【図１】
2012122262.tif 000003
【図２】
2012122262.tif 000004
【図３】
2012122262.tif 000005
【図４】
2012122262.tif 000006
【図５】
2012122262.tif 000007
【図６】
2012122262.tif 000008
【図７】
2012122262.tif 000009
【図８】
2012122262.tif 000010
【図９】
2012122262.tif 000011
【図１０】
2012122262.tif 000012
【図１１】
2012122262.tif 000013
【図１２】
2012122262.tif 000014
【図１３】
2012122262.tif 000015